(57)【要約】【課題】サーバコンピュータシステムを提供する。【解決手段】シャーシと、キャリアと、キャリアとシャーシを接続するように配置され、キャリアが第１の位置と第２の位置との間で回転できるようにし、第１の位置にある場合にキャリアのキャリア前端がシャーシ内にあり、第２の位置にある場合にキャリア前端がシャーシから外へ延伸する枢設部材と、を含むサーバコンピュータシステム。【選択図】図３Ａ
2020102187.tif 000002
【特許請求の範囲】
【請求項１】
第１のシャーシ端、第２のシャーシ端、及び前記第１のシャーシ端から前記第２のシャーシ端までのシャーシ長さを有するシャーシと、
キャリア前端、キャリア後端、及び前記キャリア前端から前記キャリア後端までのキャリア長さを有し、１つ又は複数のコンピュータ素子を収納し、前記１つ又は複数のコンピュータ素子が前記キャリア前端から取り外されることができるように配置されるキャリアと、
前記キャリアを前記シャーシに接続し、前記キャリアが第１の位置と第２の位置との間で回転できるように配置され、前記第１の位置にある場合に前記キャリア前端が前記シャーシ内にあり、前記第２の位置にある場合に前記キャリア前端が前記シャーシから外へ延伸する枢設部材と、
を備えるサーバコンピュータシステム。
【請求項２】
前記キャリアが前記第１の位置にある場合、前記キャリア長さの方向は、前記シャーシ長さの方向に垂直又は傾斜である請求項１に記載のサーバコンピュータシステム。
【請求項３】
接続位置にある場合、前記キャリアが前記第１の位置と前記第２の位置との間で回転しないように配置される少なくとも１つの固定部材を更に含む請求項１又は２に記載のサーバコンピュータシステム。
【請求項４】
前記キャリアは、フランジを含み、前記キャリアが前記第１の位置と前記第２の位置との間で回転しないように、前記少なくとも１つの固定部材が前記接続位置で前記フランジと前記シャーシを結合する請求項３に記載のサーバコンピュータシステム。
【請求項５】
前記少なくとも１つの固定部材は、解放位置にある場合、前記キャリアが前記第１の位置と前記第２の位置との間で回転できるように配置される請求項３に記載のサーバコンピュータシステム。
【請求項６】
前記１つ又は複数のコンピュータ素子は、複数のホットスワップ可能な記憶装置である請求項１〜５の何れか１項に記載のサーバコンピュータシステム。
【請求項７】
前記枢設部材は、前記キャリアを前記シャーシに取り外し可能に接続する請求項１〜６の何れか１項に記載のサーバコンピュータシステム。
【請求項８】
前記キャリアは、前記１つ又は複数のコンピュータ素子が前記キャリア前端から滑り出されて取り外されることができるように配置される請求項１〜７の何れか１項に記載のサーバコンピュータシステム。
【請求項９】
前記キャリアに接続されており、前記１つ又は複数のコンピュータ素子を結合するように配置される１つ又は複数のコネクタを有する第１側と、前記サーバコンピュータシステムの１つ又は複数のケーブルを結合するように配置される１つ又は複数のコネクタを有する第２側と、を有するインターフェースボードを更に含む請求項１〜８の何れか１項に記載のサーバコンピュータシステム。
【請求項１０】
前記キャリア前端は前記第２の位置で前記第１のシャーシ端から伸び出し、前記インターフェースボードは前記キャリア後端で前記キャリアに接続される請求項９に記載のサーバコンピュータシステム。
【発明の詳細な説明】
【技術分野】
【０００１】
本発明は、コンピュータシステム内のコンピュータ素子を支持するためのキャリアに関し、具体的には、コンピュータシステム内でスペースを節約するためのキャリアに関する。
【背景技術】
【０００２】
従来のサーバコンピュータシステムは、設計によって、記憶装置（例えば、ハードディスク）を、サーバコンピュータシステムが停止又はシャットダウンされずに、サーバコンピュータシステム内から取り外すことができるようにしている（いわゆる「ホットスワップ可能」（ｈｏｔ−ｓｗａｐｐａｂｌｅ））。いくつかの従来のサーバコンピュータシステムでは、記憶装置は、キャリアによって収納される。図１及び図２は、従来のサーバコンピュータシステムのシャーシ１００の、従来のキャリア１０２を示す。従来のキャリア１０２は、２つのホットスワップ可能な記憶装置１０４を収納する。キャリア１０２が記憶装置１０４から延伸してキャリア１０２を通る方向に長さＬ１（図２）を有し、記憶装置１０４が前記方向に沿ってキャリア１０２から取り外されてよい。従来のキャリア１０２は従来のサーバコンピュータシステムのシャーシと整合するために、長さＬ１方向がシャーシの長さと平行である。従って、記憶装置１０４は、矢印１１２の方向に沿って、シャーシの前端から取り外して挿入しなければならない。上記の従来の設計であれば、ほとんど又は全てのサーバコンピュータシステムシャーシの長さを占めることになる。
【０００３】
図２を参照されたい。図面に、キャリア１０２が記憶装置１０４を支持する長さＬ１、コネクタ１０６のインターフェースボード（ｉｎｔｅｒｆａｃｅ  ｂｏａｒｄ）１０８への接続の長さＬ２、及びシャーシの長さに沿って延伸するケーブル１１０の長さＬ３を含み、ケーブル１１０が記憶装置１０４をサーバコンピュータシステムに接続することを示す。シャーシスペースは、キャリア１０２、コネクタ１０６、インターフェースボード１０８、及びケーブル１１０のシャーシでの延伸長さＬ１−Ｌ３により占められ、他のコンピュータ素子の従来のサーバコンピュータシステムへの添加を妨害する。
【発明の概要】
【発明が解決しようとする課題】
【０００４】
従って、他のコンピュータ素子に加え、特にサーバコンピュータシステムの取り外し可能なコンピュータ素子にとって、サーバコンピュータシステムシャーシの記憶装置を収納するためのスペースを減少させることが要求されている。
【課題を解決するための手段】
【０００５】
本開示は、サーバコンピュータシステムシャーシ内で垂直又は斜めに伸びるキャリアを提供する。シャーシ内の１つ又は複数のコンピュータ素子がサーバコンピュータシステムから取り外されることができるように、キャリアは、回転できるように配置される。キャリアは、第１の位置から第２の位置に回転し、第１の位置にある場合、キャリアの第１端はシャーシ内にあり、第２の位置にある場合、キャリアの第１端はシャーシから伸び出す。第２の位置にある場合、キャリア内のコンピュータ素子は取り外され又は挿入されることができる。垂直又は傾斜して配置されるキャリアにより、サーバコンピュータシステムのスペースが節約される。また、キャリアは、サーバコンピュータシステムからコンピュータ素子をホットプラグする能力を更に提供する。
【０００６】
一実施形態によれば、サーバコンピュータシステムは、第１のシャーシを含む。第１のシャーシは、第１のシャーシ端、第２のシャーシ端、及び第１のシャーシ端から第２のシャーシ端までの長さを有する。サーバコンピュータシステムは、キャリアを更に含む。このキャリアは、キャリア前端、キャリア後端、及びキャリア前端からキャリア後端までの長さを有する。キャリアは、１つ又は複数のコンピュータ素子を収納し、１つ又は複数のコンピュータ素子がキャリア前端から取り外されることができるように配置される。サーバコンピュータシステムは、キャリアをシャーシに接続するように配置される枢設部材を更に含む。枢設部材は、更に、キャリアが第１の位置と第２の位置との間で回転できるように配置され、第１の位置はシャーシ内にあり、第２の位置はシャーシから外へ伸び出す。
【図面の簡単な説明】
【０００７】
本開示、その利点及び図面は、添付図面を参照しながら以下の列挙された実施形態によってよりよく理解されるべきである。これらの図面の説明は、実施形態を単に例示するものであるので、個々の実施形態の範囲又は特許請求の範囲を限定するものと見なされるべきではない。
【図１】従来のキャリアが２つの記憶装置を収納する等角図である。
【図２】図１の従来のキャリアが２つの記憶装置を収納する側面図、２つのコネクタ及び対応するケーブルを示す。
【図３Ａ】本開示の実施形態によるキャリアの等角図である。
【図３Ｂ】図３Ａの後面図である。
【図４Ａ】本開示の実施形態によるキャリア内のシャーシの第１の位置の拡大図である。
【図４Ｂ】図４Ａのキャリアが部分的にシャーシから回転する第２の位置の拡大図である。
【図５Ａ】本開示の実施形態によるシャーシ内のキャリアの第１の位置の等角図である。
【図５Ｂ】図５Ａのキャリアが部分的にシャーシ内から回転する第２の位置の等角図である。
【図５Ｃ】図５Ａの部分等角図である。
【図６】本開示の別の実施形態のキャリアの等角図である。
【図７Ａ】本開示の実施形態による図６のキャリアがシャーシ内の第１の位置にある様子を示す等角図である。
【図７Ｂ】図７Ａが部分的にシャーシから回転する第２の位置の等角図である。
【発明を実施するための形態】
【０００８】
本発明を、図面を参照して説明する。同じ参照数字は、類似又は同一の要素に用いられる。これらの図面は縮尺通りに描かれておらず、本発明を説明するためにのみ使用される。本発明のいくつかの態様について、複数の実用を説明する。数多くの細部、関係及び方法は、本発明の完全な理解を提供するために記載されることを理解されたい。当業者であれば、本発明が1つ又は複数の具体的な細部又は他の方法なしで実施され得ることを容易に理解する。他の実施例では、本発明を不明瞭にすることを避けるために、周知の構造又は動作は詳細には示されていない。本発明は、いくつかの工程が異なる順序で及び／又は他の工程又はイベントと同時に起こり得るので、示される工程又はイベントの順序によって限定されない。また、本発明の方法を実現するために示された全ての工程又はイベントの実施が必要とされるわけではない。
【０００９】
元素及び制限は、既に開示され、例えば、要約書、発明内容及び実施形態の部分が公開されたが、特許請求の範囲に元素及び制限が明確に述べられていなく、別個に又は集合的な示唆、推断又は他の形態によって請求項に合併されるべきではない。詳しく説明するために、明確に否定されない限り、単数は複数を含むが、逆も同様である。また、「含む」という語彙は、「〜含むが、それに限定されない」という意味である。また、「約」、「殆ど」、「基本的に」、「近似」等の近似な語彙は、本明細書で「接近又は接近」又は「３〜５％内にある」又は「認められる製造公差内にある」又はその如何なる論理的組み合わせを示すことに用いられることができる。
【００１０】
本開示に関して、「コンピューティング装置」、「コンピューティングシステム」、及び「コンピュータシステム」という項目は、任意の電子機器又は電池式機器を参照するものである。これらの設備は、ハードウェア、ソフトウェア、及び／又はファームウェア素子を有し、ソフトウェア、及び／又はファームウェア素子が装置上の機能の動作に適合させることができる。本開示に関して、項目「動作環境」は、任意のシステムの動作を参照してよく、或いは、ソフトウェアがコンピュータシステムで機能を実行することを可能にする環境を有する。
【００１１】
上記のように、本開示は、サーバコンピュータシステムのシャーシの中で垂直に（ｏｒｔｈｏｇｏｎａｌｌｙ）又は斜めに伸びるキャリアを提供するためである。キャリアは、垂直又は斜めになる設計によって、サーバコンピュータシステム内のスペースを節約することができる。同時に、キャリアは、サーバコンピュータシステムからコンピュータ素子をホットプラグする能力を依然として提供することができる。
【００１２】
キャリアは、シャーシ内で回転可能に配置される。回転の設計によって、キャリアのシャーシ内での垂直又は斜めな延伸を可能にして、スペースを節約すると共に、コンピュータ素子のホットプラグ能力を提供することを維持する。具体的には、シャーシ内のキャリアは、第１の位置でスペースの節約機能を提供する。キャリアが第２の位置に回転する場合、キャリア（ｃａｒｒｉｅｒ）の一端は、部分的にシャーシ内から伸び出すことで、ハウシング（ｈｏｕｓｉｎｇ）内からコンピュータ素子を取り外す又は挿入することができる。キャリアは、枢設部材によってシャーシ（ｃｈａｓｓｉｓ）に接続される。キャリアは、枢設部材によって第１の位置から第２の位置に回転し、また第２の位置から第１の位置に回転することができる。
【００１３】
本開示の一実施形態によれば、図３Ａと図３Ｂは、それぞれキャリア２０２の等角図と後面図を示す。図３Ａを参照されたい。キャリア２０２は、板本体２０６に接続される壁２０４ａと２０４ｂを有する。図面の記憶装置１０４のように、壁２０４ａと２０４ｂとは、共にスロット２０８を定義して、コンピュータ素子を収容する。図面に４つの記憶装置のみが示されるが、一般に、壁２０４ａと２０４ｂ、及びキャリア２０２は、より多く又は少ない記憶装置１０４を配置するように、より多く又は少ないスロット２０８を含んでもよい。また、キャリア２０２には、記憶装置１０４だけではなく、各種類の他のコンピュータ素子を配置してよい。１つ又は複数の実施形態において、コンピュータ素子は、如何なるホットプラグする素子であってよい。
【００１４】
キャリア２０２は、キャリア前端２１０ａとキャリア後端２１０ｂを含む。コンピュータ素子のキャリア２０２のスロット２０８に対するスライドイン（ｓｌｉｄｅ  ｉｎｔｏ）又はスライドアウト（ｓｌｉｄｅ  ｏｕｔ）を可能にするために、キャリア前端２１０ａは、開放型（ｏｐｅｎ）である。キャリア後端２１０ｂは、コンピュータ素子（例えば、記憶装置１０４）をサーバコンピュータシステム（図４Ａ〜図５Ｂ、下記で検討されるように）に接続するためのインターフェースボード（ｉｎｔｅｒｆａｃｅ  ｂｏａｒｄ）２１２を含む。インターフェースボード２１２は、コンピュータ素子を接続するための素子側（例えば、キャリア２０２に向かう）におけるインターフェース（図示略）と、サーバコンピュータシステムのケーブル（下記で検討される）を接続するためのシャーシ側（例えば、キャリア２０２を背にする）におけるインターフェース２１４と、を含む。
【００１５】
１つ又は複数の実施形態において、キャリア２０２は、剛性補強（ｅｘｔｒａ  ｒｉｇｉｄｉｔｙ）の上板本体２１６を含んでよい。しかし、１つ又は複数の実施形態において、上板本体２１６を省略してもよい。
【００１６】
図３Ａに示すように、板本体２０６は、フランジ２１８を含む。フランジ２１８はコンピュータ素子（例えば、記憶装置１０４）から外へ延伸する。１つ又は複数の実施形態において、フランジ２１８の前部２１８ａは、平坦（ｆｌａｔ）ではなく、湾曲又は傾斜してもよく、キャリア２０２が第１の位置と第２の位置との間で回転する場合にフランジ２１８に必要なギャップを減少させることに用いられる。フランジ２１８は、１つ又は複数の孔２２２（図３Ｂ）を含む。孔２２２は１つ又は複数の固定部材２２０を収容する。固定部材２２０は、キャリア２０２が第１の位置と第２の位置との間で回転しないように、シャーシ（図４Ａ〜図５Ｂ、下記で検討されるように）内のキャリア２０２を固定するように配置され、下記で検討される。
【００１７】
板本体２０６は、フランジ２１８に対向するキャリア後端２１０ｂの孔２２４を有する。孔２２４は、枢設部材（下記で検討される）によるキャリア２０２のシャーシへの接続を可能にし、またキャリア２０２の枢設部材に沿った回転を可能にし、下記で更に検討する。
【００１８】
本開示の実施形態によれば、図４Ａは、第１の位置のキャリア２０２を示す。このキャリア２０２がサーバコンピュータシステムのシャーシ４３０に接続される。図４Ｂは、第２の位置のキャリア２０２を示す。図４Ａを参照されたい。キャリア２０２は、延伸して孔２２４を通過する枢設部材４３２によってシャーシ４３０に接続される。枢設部材４３２は、キャリア２０２の第１の位置から第２の位置への回転を可能にする。図４Ａに示すように第１の位置から回転し、図４Ｂに示すように第２の位置まで回転する。
【００１９】
１つ又は複数の実施形態において、枢設部材４３２は、キャリア２０２をシャーシ４３０に取り外し可能に接続する。例として、枢設部材４３２は、キャリア２０２がシャーシ４３０から取り外されることができるように配置される。このように、キャリア２０２は、シャーシ４３０から離れることができる。例として、枢設部材４３２は、ネジ、釘、スタッド、又は如何なる他の機械的固定部材であってよい。この固定部材は、キャリア２０２がシャーシ４３０から離れてシャーシ４３０内から取り外されることができるようにする。
【００２０】
また、１つ又は複数の実施形態において、枢設部材４３２は、固定させるようにキャリア２０２をシャーシ４３０に接続する。例として、枢設部材４３２は、キャリア２０２がシャーシ４３０から離れることを禁止するように配置される。例として、枢設部材４３２は、リベット、又は枢設部材４３２を損傷し破壊せずに、キャリア２０２がシャーシ４３０から取り外されることを禁止する他の如何なる固定部材であってよい。
【００２１】
キャリア２０２が第１の位置にある場合、図４Ａに示すように、キャリア２０２は完全的にシャーシ４３０内に封止される。しかし、キャリア２０２が枢設部材４３２に沿って第２の位置に回転する場合、図４Ｂに示すように、キャリア２０２は部分的にシャーシ４３０から伸び出す。
【００２２】
第１の位置又は第２の位置の何れも場合にも、インターフェースボード２１２は、キャリア２０２内の記憶装置１０４の接続を維持するように、サーバコンピュータシステムのケーブル１１０がキャリア２０２との接続を可能にする。キャリア２０２は、図５Ａに示すように、第１の位置でシャーシ４３０内に囲まれ、図５Ｂに示すように、第２の位置で部分的にシャーシ４３０から伸び出す。
【００２３】
図５Ａは、キャリア２０２のシャーシ４３０に対応する第１の位置を示す等角図である。図５Ｂは、キャリア２０２が回転して部分的にシャーシ４３０から伸び出す等角図を示す。図５Ｃは、図５Ａの部分等角図である。図５Ａと図５Ｃに示すように、第１の位置にある場合、キャリア２０２全体もシャーシ４３０内にあり、枢設部材４３２によってシャーシ４３０に接続される。また、キャリア２０２の長さＬ４の長さ方向は、シャーシ４３０の長さＬ５の長さ方向に垂直である。長さＬ４の長さ方向が長さＬ５の長さ方向に平行である状況と比べると、上記の垂直形態は、シャーシ４３０内で小さいシャーシ深さを使う。
【００２４】
具体的には、シャーシ内の従来のキャリアの配置にとって、上記で検討される図１と図２のキャリア１０２のように、キャリア１０２の長さ方向はシャーシの長さ方向に垂直ではなく平行である。また、図２に示す長さを参照されたい。長さＬ１が約１４０ｍｍであり、長さＬ２が約２０ｍｍであり、長さＬ３が約４０ｍｍであるため、従来のキャリア１０２の総長としては約２００ｍｍは必要である。従来のキャリア１０２の長さＬ１方向がシャーシ４３０の長さＬ５方向に平行である場合、従来のキャリア１０２は、シャーシ４３０の大部分の深さを占める。逆に、図５Ａに示すように、シャーシ４３０の長さ方向とキャリア２０２の長さ方向との垂直設計のように、シャーシ内の深さはキャリア２０２の幅のスペースのみを占め、この幅が約８０ｍｍである。従って、上記のシャーシ４３０の長さ方向とキャリア２０２の長さ方向との垂直設計によって、約１００ｍｍ〜１２０ｍｍシャーシ内の深さを保留して他のコンピュータ素子の使用に提供することができる。更に、枢設部材４３２によってキャリア２０２がシャーシ４３０に対して回転することができる。キャリア２０２は、更にキャリア２０２内に収納されるコンピュータ素子（例えば、記憶装置１０４）に対するアクセス能力を提供することができる。
【００２５】
図５Ｂを参照されたい。キャリア２０２は、矢印方向４３４に沿って第１の位置（図５Ａ）から枢設部材４３２に沿って第２の位置（図５Ｂ）に回転するように配置される。キャリア２０２が枢設部材４３２に沿って第２の位置（図５Ｂ）に回転する場合、キャリア２０２のキャリア前端２１０ａはシャーシ４３０から伸び出す。第２の位置は、記憶装置１０４がキャリア２０２内でのアクセスを便利にする。従って、１つ又は複数の記憶装置１０４は、矢印４３６に示すように、キャリア２０２から取り外されることができる。また、ケーブル１１０とインターフェースボード２１２（図４Ｂ）によって、キャリア２０２内に残る記憶装置１０４は、サーバコンピュータシステムとの接続を維持することができる。ケーブル１１０は、スラック（ｓｌａｃｋ）部を有する。スラック部は、キャリア２０２が第２の位置にある場合に、相変わらずインターフェースボード２１２に接続されることを保持することができる。キャリア２０２は、図５Ｂでシャーシ４３０の中心から回転し、その代わりに、シャーシ４３０内で反対であるように設計されてもよい。具体的に、キャリア２０２は、シャーシ４３０の一側から回転してもよい。如何なる設計に関わらず、キャリア２０２の回転は、記憶装置１０４が取り外されること（アクセス）を可能にしなければならない。１つ又は複数の実施形態において、例えば、図５Ｂに示す他のキャリア２０２のように、キャリア２０２は、記憶装置１０４の幅方向に沿って回転することで、シャーシ４３０内の他の素子が明らかに見られる（アクセスしやすい）ことにする。キャリア２０２は、記憶装置１０４の幅を超えるように回転することができる。例として、キャリア２０２は、９０°以上回転することができる。回転が制限される必要があると、ケーブル１１０の長さ、シャーシ４３０がキャリア２０２に隣接すること、及び他の類似している設計によって制限されてよい。
【００２６】
キャリア２０２の長さＬ４の長さ方向がシャーシ４３０の長さＬ５の長さ方向に垂直であることによって、別のコンピュータ素子シャーシ４３０内で別のスペースを提供して、スペースを節約する目的を達成する。また、図５Ａと図５Ｂに示すように、シャーシ４３０の幅Ｗ１とキャリア２０２の長さＬ４を比較すると、シャーシ４３０内に２つ目のキャリア２０２を提供することができる。
【００２７】
キャリア２０２は、第１の位置（図５Ａ）から第２の位置（図５Ｂ）に移動することができるが、１つ又は複数の実施形態において、１つ又は複数の固定部材２２０を含む。固定部材２２０は、キャリア２０２をシャーシ４３０に固定し、キャリア２０２が第１の位置と第２の位置との間で移動することを禁止する。キャリア２０２が第１の位置（図５Ａ）にある場合、固定部材２２０は、フランジ２１８をシャーシ４３０に固定することができる。特に、キャリア２０２が第１の位置にある場合、固定部材２２０は、第１の位置とキャリア２０２で接続位置（ｃｏｕｐｌｅｄ  ｐｏｓｉｔｉｏｎ）に位置してもよい。このように、フランジ２１８とキャリア２０２が第１の位置と第２の位置との間で回転することを禁止する。固定部材２２０を非接続位置又は解放位置に変えると、キャリア２０２が第１の位置から第２の位置（図５Ｂ）に回転することが可能になる。
【００２８】
１つの固定部材のみが図５Ａに示されるが、フランジ２１８は、図３Ｂに示すように、１つを超える固定部材２２０を有してもよい。固定部材２２０は、如何なる機械的固定部材であってよい。これらの固定部材２２０は、フランジ２１８がシャーシ４３０に接続される又は接続されない（つまり解放される）ことを可能にする。例として、固定部材２２０は、ネジ、フック、及び類似している機械部品であってよい。また、実際の要求に応じて、１つを超える固定部材２２０を配置することができる。
【００２９】
１つ又は複数の実施形態において、シャーシ４３０は、キャリア２０２のシャーシ４３０に対する回転に寄与するように、トラック又はガイド部を有する。例として、キャリア２０２の回転に寄与するように、キャリア２０２はトラック又はガイド部に対応する凸部を有する。しかし、トラック又はガイド部は、選択的な設計であり、シャーシ４３０内の使用可能なスペースによって決められる。
【００３０】
図６は、本開示の別の実施形態によるキャリア６０２を示す。キャリア６０２は、以上に検討されたキャリア２０２と類似している特徴を有し、類似している特徴が類似している番号付け体系によって番号付けられる。前記キャリア２０２の特徴とその対応する特徴は、他の注記がない限り、キャリア６０２の特徴にも適用される。キャリア２０２は、水平方向に互いに垂直に隣接する記憶装置１０４を配置する。キャリア６０２は、垂直方向に互いに水平して隣接する記憶装置１０４を配置する。
【００３１】
キャリア６０２は、板本体６１６に接続された、対向する壁６０４ａと６０４ｂを有する。９０度を回転する部分に加え、壁６０４ａと６０４ｂ及び板本体６１６は壁２０４ａと２０４ｂ及び板本体２０６に類似するので、壁６０４ａと６０４ｂはそれぞれキャリア６０２の頂部と底部を定義し、板本体６１６はキャリア６０２の側辺を定義する。
【００３２】
図面の記憶装置１０４のように、壁６０４ａと６０４ｂとはコンピュータ素子を収容するように、共にスロット６０８を定義する。図面において、２つの記憶装置のみが示される。一般的に、壁６０４ａと６０４ｂ、及びキャリア６０２は、より多く又は少ない記憶装置１０４を配置するように、より多く又は少ないスロット６０８を含んでよい。また、キャリア６０２は、記憶装置１０４だけでなく各種類の他のコンピュータ素子を配置してもよい。１つ又は複数の実施形態において、コンピュータ素子は、如何なるホットプラグ素子であってよい。
【００３３】
キャリア６０２は、キャリア前端６１０ａとキャリア後端６１０ｂを含む。キャリア６０２のスロット６０８に対してスライドイン又はスライドアウトを可能にするように、キャリア前端６１０ａは、開放型である。キャリア後端６１０ｂは、コンピュータ素子（例えば、記憶装置１０４）をサーバコンピュータシステム（図７Ａ〜図７Ｂ、下記で検討される）に接続するように、インターフェースボード６１２を含む。インターフェースボード６１２は、コンピュータ素子を接続するための素子側（例えば、キャリア６０２に向かう）におけるインターフェースと、サーバコンピュータシステムのケーブル（下記で検討される）を接続するためのシャーシ側（例えば、キャリア６０２を背にする）におけるインターフェース６１４と、を含む。
【００３４】
壁６０４ａは、フランジ６１８を含む。フランジ６１８は、コンピュータ素子（例えば、記憶装置１０４）から外に延伸する。フランジ６１８は、１つ又は複数の孔６２２を含む。孔６２２が１つ又は複数の固定部材６２０を収容する。固定部材６２０は、キャリア６０２が第１の位置と第２の位置との間で回転しないように、シャーシ内のキャリア６０２（図７Ａと図７Ｂ、下記で検討される）を固定するように配置され、下記で検討される。
【００３５】
壁６０４ａは、フランジ６１８と対向し且つキャリア後端６１０ｂに位置する孔６２４を有する。孔６２４は、枢設部材（下記で検討される）がキャリア６０２をシャーシに接続することを可能にし、キャリア６０２が枢設部材に沿って枢転することも可能にし、下記で更に検討される。
【００３６】
記憶装置１０４の数が臨界数よりも小さい場合、キャリア６０２の幅はひいてはキャリア２０２の幅よりも小さくなり、臨界数は記憶装置１０４の幅によって決められる。従って、キャリア６０２は、ひいてはより多くの深さを節約することができる。
【００３７】
本開示の実施形態によれば、図７Ａは、図６のシャーシ７３０内の第１の位置でのキャリア６０２を示す等角図である。図７Ｂは、部分的にシャーシ７３０から外へ回転する第２の位置のキャリア６０２を示す。図７Ａに示すように、第１の位置にある場合、キャリア６０２全体はシャーシ７３０内にある。また、キャリア６０２の長さＬ４の長さ方向は、シャーシ７３０の長さＬ５の長さ方向に垂直である。キャリア６０２の長さＬ４の長さ方向がシャーシ７３０の長さＬ５の長さ方向に垂直である状況と、長さＬ４の長さ方向が長さＬ５の長さ方向に平行である状況とを比べると、上記の垂直の形態は、シャーシ７３０内で小さいシャーシ深さを使う。
【００３８】
具体的に、シャーシ内の従来のキャリアの配置、例えば、上記で検討される図１と図２のキャリア１０２は、キャリアの長さ方向がシャーシの長さ方向に垂直ではなく平行である。また、図２に示す長さを参照すると、長さＬ１は約１４０ｍｍであり、長さＬ２は約２０ｍｍであり、長さＬ３は約４０ｍｍである。従って、従来のキャリア１０２の総長は、約２００ｍｍを必要とする。従来のキャリア１０２の長さＬ１の長さ方向はシャーシ７３０の長さＬ５の長さ方向に平行であり、従来のキャリア１０２はシャーシ７３０のほとんどの主な深さを占める。逆に、図７Ａに示すように、シャーシ７３０の長さ方向とキャリア６０２の長さ方向の垂直設計について、シャーシ内の深さはキャリア６０２の幅のスペースのみを占め、この幅が約４２ｍｍであってよい。従って、シャーシ７３０の長さ方向とキャリア６０２の長さ方向との垂直設計によって、約１４０ｍｍ〜１６０ｍｍのシャーシ内の深さを他のコンピュータ素子の使用に提供することができる。更に、枢設部材７３２によってキャリア６０２がシャーシ７３０に対して回転できるようになり、キャリア６０２はコンピュータ素子（例えば、記憶装置１０４）がキャリア６０２に収納されることができるように配置される。
【００３９】
図７Ｂを参照されたい。キャリア６０２は、矢印７３４方向に沿って第１の位置（図７Ａ）から枢設部材７３２に沿って第２の位置（図７Ｂ）に回転するように配置される。キャリア６０２が枢設部材７３２に沿って第２の位置（図７Ｂ）に回転すると、キャリア６０２のキャリア前端６１０ａはシャーシ７３０から伸び出す。第２の位置は、記憶装置１０４がキャリア６０２内でのアクセスを便利にする。従って、１つ又は複数の記憶装置１０４は、矢印７３６に示すようにキャリア６０２から取り外されてよい。また、キャリア６０２内に残る記憶装置１０４は対応するケーブルとインターフェースボード６１２によって、サーバコンピュータシステムとの接続（図の状況と類似している）を維持することができる。ケーブルはスラック部を有する。スラック部がキャリア６０２で第２の位置にある場合、依然としてインターフェースボード６１２に接続されることを保持する。キャリア６０２は、図７Ｂでシャーシ７３０の中心から回転するが、又は、シャーシ７３０内で反対する設計であってよい。具体的に、キャリア６０２はシャーシ７３０の一側から回転してもよい。如何なる設計に関わらず、キャリア６０２の回転は、記憶装置１０４が取り外される（アクセス）ようにする必要がある。１つ又は複数の実施形態において、キャリア６０２が記憶装置１０４の幅方向に沿って回転し、このように、例えば図７Ｂに示す他のキャリア６０２のように、シャーシ７３０内の他の素子が明らかに見られる（アクセスしやすい）ことにする。キャリア６０２は、記憶装置１０４の幅を超えるように回転することができる。例として、キャリアは、９０°以上回転することができる。このような回転は、ケーブルの長さ、シャーシ７３０がキャリア６０２に隣接すること、及び他の類似している設計によって制限されてよい。
【００４０】
キャリア６０２が第１の位置（図７Ａ）から第２の位置（図７Ｂ）に移動することができるが、１つ又は複数の実施形態において、キャリア６０２は、１つ又は複数の固定部材６２０を含む。固定部材６２０がキャリア６０２をシャーシ７３０に固定して、キャリア６０２が第１の位置と第２の位置との間で移動しないようにする。キャリア６０２が第１の位置（図７Ａ）にある場合、固定部材６２０は、フランジ６１８をシャーシ７３０に固定することができる。特に、キャリア６０２が第１の位置にある場合、固定部材６２０は、接続位置でキャリア６０２に接続されてよい。このように、フランジ６１８とキャリア６０２が第１の位置と第２の位置との間で回転しないようにする。固定部材６２０を非接続位置又は解放位置に変えると、キャリア６０２が第１の位置から第２の位置（図７Ｂ）に回転できるようにする。
【００４１】
１つの固定部材のみが図７Ａに示されるが、フランジ６１８は、図７Ｂに示すように、１つを超える固定部材６２０を有してもよい。固定部材６２０は、如何なる機械的固定部材であってよい。これらの固定部材６２０は、フランジ６１８がシャーシ７３０に接続される又は接続されない（つまり解放される）ようにすることができる。例として、固定部材６２０は、ネジ、フック、及び類似している機械部品であってよい。また、実際の要求に応じて１つを超える固定部材６２０を配置することができる。
【００４２】
以上、本開示の様々な実施例について詳細に説明したが、それらは実施例として示されることにすぎず、限定ではないことを理解されたい。本開示に基づいて、本発明の精神又は範囲から逸脱しない限り、開示された実施例に多くの変化を加えることができる。従って、本発明の幅及び範囲は、上記の実施例の何れによっても制限されるべきではない。反対に、本発明の範囲は、添付の特許請求の範囲及びそれらの等価の説明によって定義されるべきである。
【００４３】
本発明は、１つ又は複数の実施形態に関して記載及び説明されているが、本発明及び図面を読んで理解すると、同等の変更及び修正が当業者には想到し得ることである。また、本発明の特定の特徴が一実施例のみに対応するが、このような特徴は、任意の所与の適用又は特定の適用に望ましい又は有益であることのような他の１つ又は複数の他の特徴と組み合わせることができる。
【００４４】
ここで使用する用語は、特定の実施例を説明するためだけのものであり、限定するものではない。本明細書で使用されるように、単数形の「一」、「１つ」及び「前記」は、文脈上他に明確に指示されない限り、複数の指示対象を含む。更に、ある程度では、これらの詳細な説明及び／又は特許請求の範囲において用語「含む」、「有する」、「と」又はそれらの変形が使用され、これらの用語は、類似的な用語「含む」を含むことが意図されている。
【００４５】
別に定義されない限り、本明細書で使用される全ての用語（技術用語及び科学用語を含む）は、当業者によって一般的に理解されるのと同じ意味を有する。更に、一般的に使用される辞書に定義されているような用語は、関連技術の文脈において一貫した意味を有すると解釈されるべきであり、本明細書で明示的に定義されない限り、理想化された又は過度に正式な形で解釈されることはない。
【符号の説明】
【００４６】
１００、４３０、７３０  シャーシ
１０２  従来のキャリア
１０４  記憶装置
１０６  コネクタ
１０８、２１２、６１２  インターフェースボード
１１０  ケーブル
１１２、４３６、７３４、７３６  矢印
Ｌ１、Ｌ２、Ｌ３、Ｌ４、Ｌ５  長さ
２０２、６０２  キャリア
２０４ａ、２０４ｂ、６０４ａ、６０４ｂ  壁
２０６、６１６  板本体
２０８、６０８  スロット
２１０ａ、６１０ａ  キャリア前端
２１０ｂ、６１０ｂ  キャリア後端
２１４、６１４  インターフェース
２１６  上板本体
２１８、６１８  フランジ
２１８ａ  前部
２２０、６２０  固定部材
２２２、２２４、６２２、６２４  孔
Ｗ１  幅
４３２、７３２  枢設部材
４３４  矢印方向
【図１】
2020102187.tif 000003
【図２】
2020102187.tif 000004
【図３Ａ】
2020102187.tif 000005
【図３Ｂ】
2020102187.tif 000006
【図４Ａ】
2020102187.tif 000007
【図４Ｂ】
2020102187.tif 000008
【図５Ａ】
2020102187.tif 000009
【図５Ｂ】
2020102187.tif 000010
【図５Ｃ】
2020102187.tif 000011
【図６】
2020102187.tif 000012
【図７Ａ】
2020102187.tif 000013
【図７Ｂ】
2020102187.tif 000014